(57)【要約】【課題】比較的大きな力で障壁を引きちぎる場合も障壁が一気に引きちぎれることなく、確実に容器内のガスをすることができるプルトップ式中栓及びそれを備えるキャップを提供する。【解決手段】本発明は、容器口部21を封止する天井壁112を有するベース111と、この天井壁112にて破断予定ライン１により区画され注出口を形作る障壁114と、この障壁114に繋がりその引き起こしによりライン１に沿って障壁114を引きちぎって注出口を形成するプルタブ115とを備えるプルトップ式中栓において、ライン１は、円弧形ライン２の端部としてなり互いに離間した２つの基点Ａ,Ｂと、周壁113の内周縁113eから近くに位置する２つの頂点Ｃ,Ｄと、これら頂点Ｃ,Ｄの相互間に介在し頂点Ｃ,Ｄよりも周壁113の内周縁113eから遠くに位置する折り返し点ＥとをほぼＭ字形に結ぶ破断生起ライン３を有し、障壁114は、破断生起ライン３にて区画され周壁113の外周縁113eに向かって膨出する２つの膨出部114a,114bの一方114aにプルタブ115を備える。【選択図】図２
2006016019.tif 000002
【特許請求の範囲】
【請求項１】
容器の口部を封止する天井壁を有するベースと、このベースの天井壁にて破断予定ラインにより区画され注出口を形作る障壁と、この障壁に繋がりその引き起こしにより前記破断予定ラインに沿って前記障壁を引きちぎって注出口を形成するプルタブとを備えるプルトップ式中栓において、
前記破断予定ラインは、円弧形ラインの端部としてなり互いに離間した２つの基点と、前記天井壁の外周縁から近くに位置する２つの頂点と、これら頂点の相互間に介在し前記頂点よりも前記天井壁の外周縁から遠くに位置する折り返し点とをほぼＭ字形に結ぶ破断生起ラインを有し、前記障壁は、前記破断生起ラインにて区画され前記天井壁の外周縁に向かって膨出する２つの膨出部の一方に前記プルタブを備えることを特徴とするプルトップ式中栓。
【請求項２】
前記中栓にヒンジを介して揺動可能に繋がる蓋体を設けたことを特徴とする請求項１に記載のプルトップ式中栓を備えるキャップ。
【発明の詳細な説明】
【技術分野】
【０００１】
本発明は、容器の口部を封止する天井壁を有するベースと、このベースの天井壁にて破断予定ラインにより区画され注出口を形作る障壁と、この障壁に繋がりその引き起こしにより前記破断予定ラインに沿って前記障壁を引きちぎって注出口を形成するプルトップ式中栓及び、それを備えるキャップに関するものである。
【背景技術】
【０００２】
こうした中栓等は一般的に、醤油や食用油などを内容物とする容器に用いられるが、例えば、内容物を高温充填する容器において、容器内が減圧した状態でベースから障壁を一気に引きちぎって抜栓すると、容器が復元する反動で内容物が一緒に飛び散るといった不都合が生じる。このため、従来は、破断予定ラインを細溝で形成し、この細溝で区画した障壁の一端を均等な幅の狭幅部分とすると共に、この狭幅部分を形作る細溝の溝底を厚くすることにより、この肉厚部分にて、密閉壁の引きちぎりを一旦停止させて、抜栓に伴う内容物の飛散を防止していた(例えば、特許文献１参照。)。
【特許文献１】実公昭５９−２２０３８号公報
【０００３】
しかしながら、上述のキャップは、その細溝がほぼ直線形になる部分の途中に肉厚部分があるため、例えば、密閉壁とベースとの連結が強固で密閉壁を比較的大きな力で引っ張らなければならない場合などでは、勢いあまってそのまま肉厚部分を越えて障壁が一気に引きちぎれて内容物が飛び散ってしまうといった問題があった。
【発明の開示】
【発明が解決しようとする課題】
【０００４】
解決しようとする問題点は、従来技術にあってもなお、比較的大きな力で障壁を引っ張った場合に障壁が一気に引きちぎれてしまうことである。
【課題を解決するための手段】
【０００５】
本発明は、容器の口部を封止する天井壁を有するベースと、このベースの天井壁にて破断予定ラインにより区画され注出口を形作る障壁と、この障壁に繋がりその引き起こしにより前記破断予定ラインに沿って前記障壁を引きちぎって注出口を形成するプルタブとを備えるプルトップ式中栓において、前記破断予定ラインは、円弧形ラインの端部としてなり互いに離間した２つの基点と、前記天井壁の外周縁から近くに位置する２つの頂点と、これら頂点の相互間に介在し前記頂点よりも前記天井壁の外周縁から遠くに位置する折り返し点とをほぼＭ字形に結ぶ破断生起ラインを有し、前記障壁は、前記破断生起ラインにて区画され前記天井壁の外周縁に向かって膨出する２つの膨出部の一方に前記プルタブを備えることを特徴とするプルトップ式中栓である。
【０００６】
また、本発明は、上記中栓にヒンジを介して揺動可能に繋がる蓋体を設けたことを特徴とするプルトップ式中栓を備えるキャップである。
【発明の効果】
【０００７】
本発明にあっては、プルタブの引き起こしにより、プルタブに隣接する破断生起ラインの頂点からこの頂点に繋がる基点及び折り返し点に向かってそれぞれ障壁の引きちぎりを開始するが、特に、折り返し点での破断は、プルタブに隣接する頂点から折り返し点に向かってのち、プルタブに隣接しない他方の頂点に向かって折り返されて破断に要する力の向きが変わるため、結果として折り返し点では破断しにくくなる。更に、プルタブが存在しない他方の頂点での破断も、折り返し点から当該他方の頂点に向かってのち、この他方の頂点に繋がる基点に向かって折り返されて破断に要する力の向きが再び変わるため、結果としてプルタブが存在しない他方の頂点でも破断しにくくなる。即ち、本発明によれば、破断生起ラインの折り返し点及びプルタブの存在しない他方の頂点で更に大きな破断力が要求されるため、比較的大きな力で障壁を引っ張っても、破断生起ラインの破断はその折り返し点からプルタブの存在しない他方の頂点に至るまでの領域内にて停止し、従来の如く、障壁がベースから一気に引きちぎれてしまうことがない。従って、本発明によれば、使用者には障壁を注意深く引きちぎる等の煩雑さがなく、障壁の引きちぎりを破断生起ラインの折り返し点からプルタブの存在しない他方の頂点に至るまでの領域で確実に一時停止させることにより、抜栓に伴う内容物の飛散を防止することができる。
【０００８】
また、本発明は、前記中栓にヒンジを介して揺動可能に繋がる蓋体を設けたキャップ、前記中栓に、この中栓に着脱可能に嵌合する蓋体を設けたキャップである。
【発明を実施するための最良の形態】
【０００９】
以下、図面を参照して、本発明であるプルトップ式キャップの一形態を詳細に説明にする。
【００１０】
図１(ａ),(ｂ)はそれぞれ、本発明の一形態であるプルトップ式キャップを上方から示す正面図及びそのＸ−Ｘ断面図であり、図２は、図１(ｂ)を矢印Ｖから示す要部背面図である。
【００１１】
キャップ１0０は、容器20の口部21に取り付けられる中栓110と、この中栓110にヒンジ120を介して揺動可能に連結される蓋体130とからなる。中栓110は、容器20の口部21にアンダーカット嵌合によって取り付けられるベース111を備える。このベース111は、容器20の口部21を封止する天井壁112を有し、この天井壁112には環状の周壁113が一体に成形されている。この周壁113で包囲された天井壁112には、細溝からなる破断予定ライン１により区画され注出口を形作る障壁114と、この障壁114に繋がりその引き起こしにより破断予定ライン１に沿って障壁114を引きちぎって注出口を形成するプルタブ115とを備える。
【００１２】
破断予定ライン１は、図２に示す如く、周壁113の中心Ｏ1周りに形成された円弧形のライン２と、この円弧形ライン２の端部である２つの基点Ａ,Ｂに繋がる破断生起ライン３とからなり、この破断生起ライン３は、これら基点Ａ，Ｂと、天井壁112の外周縁（本形態では周壁113の内周縁113e）から近くに位置する２つの頂点Ｃ,Ｄと、これら頂点４,５の相互間に介在し頂点Ｃ,Ｄよりも周壁113の外周縁113eから遠くに位置する折り返し点Ｅとを結んだほぼＭ字形をしている。
【００１３】
本形態の破断生起ライン３において、基点Ａと頂点Ｃとを結ぶライン3a、基点Ｂと頂点Ｄとを結ぶライン3b、頂点Ｃと折り返し点Ｅを結ぶライン3c及び、頂点Ｄと折り返し点Ｅとを結ぶライン3dはそれぞれほぼ直線で構成され、頂点Ｃ,Ｄ及び折り返し点Ｅにおいてそれぞれ、曲率半径ｒ1,ｒ2をもって曲線的に繋がっている。これにより、障壁114は、破断生起ライン３にて区画された部分に、周壁113の内周縁113eに向かって膨出する２つの膨出部114a,114b（図中斜線に示す。）が形成される。そして、プルタブ115は、これら膨出部114a,114bの一方（本形態では、膨出部114a）に、支柱115aを介してプルリング115bを一体に形成されている。
【００１４】
本発明にあっては、プルタブ115の引き起こしにより、プルタブ115に隣接する破断生起ライン３の頂点Ｃから基点Ａ及び折り返し点Ｅに向かってそれぞれ障壁114の引きちぎりを開始するが、特に、折り返し点Ｅでの破断は、頂点Ｃから折り返し点Ｅに向かってのち、他方の頂点Ｄに向かって折り返されて破断に要する力の向きが変わるため、結果として折り返し点Ｅでは破断しにくくなる。更に、折り返し点Ｅから頂点Ｄでの破断も、折り返し点Ｅから頂点Ｄに向かってのち、他方の基点Ｂに向かって折り返されて破断に要する力の向きが再び変わるため、結果として頂点Ｄでも破断しにくくなる。即ち、本発明によれば、破断生起ライン３の折り返し点Ｅ及び頂点Ｂで更に大きな破断力が要求されるため、比較的大きな力で障壁114を引っ張っても、破断生起ライン３の破断はその折り返し点Ｅから頂点Ｂに至るまでの領域Ｌ内にて停止し、従来の如く、障壁114がベース110から一気に引きちぎれてしまうことがない。従って、本発明によれば、使用者には障壁114を注意深く引きちぎる等の煩雑さがなく、障壁114の引きちぎりを破断生起ライン３の折り返し点Ｅから頂点Ｂに至るまでの領域Ｌ内で確実に一時停止させることにより、抜栓に伴う内容物の飛散を防止することができる。
【００１５】
図３は、図１,２に示す形態の変形例であって、図１(ｂ)を矢印Ｖから示す要部背面図である。なお、以下の説明において、図１,２と同一部分は同一符号をもって、その説明を省略する。
【００１６】
本形態において、頂点Ｃと基点Ａとを結ぶライン3aは、頂点Ｃと基点Ａとの相互間に介在しこれらの点Ａ,Ｃよりも周壁113の内周縁113eから遠くに位置する中点Ｆを通る凹み線であり、同様に、頂点Ｄと基点Ｂとを結ぶライン3bも、頂点Ｄと基点Ｂとの相互間に介在しこれらの点Ｂ,Ｄよりも周壁113の内周縁113eから遠くに位置する中点Ｇを通る凹み線である。この場合も、障壁114は、破断生起ライン1bにて区画された部分に、周壁113の内周縁113eに向かって膨出する２つの膨出部114a,114b（図中斜線に示す。）が形成される。そして、プルタブ115も、これら膨出部114a,114bの一方（本形態では、膨出部114a）に、支柱115aを介してプルリング115bを一体に形成されている。
【００１７】
本発明にあっても、プルタブ115の引き起こしにより、プルタブ115に隣接する破断生起ライン３の頂点Ｃから基点Ａ及び折り返し点Ｅに向かってそれぞれ障壁114の引きちぎりを開始するが、特に、折り返し点Ｅでの破断は、頂点Ｃから折り返し点Ｅに向かってのち、他方の頂点Ｄに向かって折り返されて破断に要する力の向きが変わるため、この場合も、折り返し点Ｅでは破断しにくくなる。更に、プルタブ115が存在しない頂点Ｄでの破断でも、折り返し点Ｅから頂点Ｄに向かってのち、この他方の頂点Ｄに繋がる基点Ｂに向かって折り返されて破断に要する力の向きが再び変わるため、この場合も、頂点Ｄでは破断しにくくなる。即ち、本発明によれば、破断生起ライン３の折り返し点Ｅ及び頂点Ｄで更に大きな破断力が要求されるため、比較的大きな力で障壁114を引っ張っても、破断生起ライン３の破断はその折り返し点Ｅから頂点Ｄに至るまでの領域Ｌにて停止し、従来の如く、障壁114がベース110から一気に引きちぎれてしまうことがない。従って、本発明によれば、使用者には障壁114を注意深く引きちぎる等の煩雑さがなく、障壁114の引きちぎりを破断生起ライン３の折り返し点Ｅから頂点Ｄに至るまでの領域Ｌで確実に一時停止させることにより、抜栓に伴う内容物の飛散を防止することができる。
【００１８】
ところで、本発明の中栓110は、様々な形態のキャップに採用することができる。例えば、蓋体130は、中栓110のベース111に着脱可能に嵌合させてもよい。特に、かかる構成においては、ベース111と蓋体130との嵌合部にそれぞれ、凸部及び凹部を設け、中栓110に対して蓋体130を着脱可能に凹凸嵌合させてもよい。更に、本発明は、ベース111と蓋体130とにそれぞれ、おねじ部及びめねじ部を設け、中栓110に対して蓋体130を着脱可能にねじ止めしてもよい。
【００１９】
上述したところは、本発明の好適な実施例を示したに過ぎず、当業者によれば、請求の範囲において、種々の変更を加えることができる。例えば、本発明に係る破断予定ラインは、本形態に示す如く、中心Ｏ1と折り返し点Ｅとを通る軸線Ｘに対して線対称な形状であれば、プルタブ115の引き起こしによる障壁114の引きちぎりを効果的に実現できるが、必ずしも線対称である必要はない。また、頂点Ｃ,Ｄと折り返し点Ｅはそれぞれ、曲率半径ｒ1,ｒ2のほぼＵ字形をなしているが、基点Ａと頂点Ｃとの相互間、頂点Ｃと折り返し点Ｅとの相互間をそれぞれ直線的に繋いで鋭角なＶ字形としてもよい。同様に、基点Ｂと頂点Ｄとの相互間、頂点Ｄと折り返し点Ｅとの相互間も直線的に繋いで鋭角なＶ字形としてもよい。また、内容物の使いきりを想定した場合は、蓋体130を用いることなく、中栓110のみで使用することもできる。
【図面の簡単な説明】
【００２０】
【図１】(ａ),(ｂ)はそれぞれ、本発明の一形態であるプルトップ式キャップを上方から示す平面図及びそのＸ−Ｘ断面図である。
【図２】図１(ｂ)を矢印Ｖから示す要部背面図である。
【図３】同形態の変形例であって、図１(ｂ)を矢印Ｖから示す要部背面図である。
【符号の説明】
【００２１】
１    破断予定ライン
２    円弧形ライン
３    破断生起ライン
3a    頂点Ｃと基点Ａとを結ぶライン
3b    頂点Ｄと基点Ｂとを結ぶライン
3c    頂点Ｃと折り返し点Ｅとを結ぶライン
3d    頂点Ｄと折り返し点Ｅとを結ぶライン
100   キャップ
110   中栓
111   ベース
112   天井壁
113   周壁
114   障壁
115   プルタブ
115a  支柱
115b  プルリング
Ａ,Ｂ  基点
Ｃ,Ｄ  頂点
Ｅ    折り返し点
Ｆ,Ｇ  中点
【図１】
2006016019.tif 000003
【図２】
2006016019.tif 000004
【図３】
2006016019.tif 000005